(57)【要約】【課題】複数方向から見た場合でも機器の設置環境に応じた色を容易に表示可能な電子機器、光学モジュール、及び光学モジュールの制御方法を提供する。【解決手段】電子機器１０は、第一面部１１Ａ及び第二面部１１Ｂを備えた電子機器１０であって、第一面部１１Ａ及び第二面部１１Ｂのそれぞれに設けられ、所定波長の光を出射させる表示部と、第一面部１１Ａ及び第二面部１１Ｂのそれぞれに設けられ、当該面部に入射する光を測色する測色部と、第一面部１１Ａの測色部において測色された色の光を第二面部１１Ｂの表示部に表示させ、第二面部１１Ｂの測色部において測色された色の光を第一面部１１Ａの表示部に表示させる制御部３０と、を備えた。【選択図】図２
2015141026.tif 000002
【特許請求の範囲】
【請求項１】
第一面部及び第二面部を備えた電子機器であって、
前記第一面部及び前記第二面部のそれぞれに設けられ、所定波長の光を出射させる表示部と、
前記第一面部及び前記第二面部のそれぞれに設けられ、当該面部に入射する光を測色する測色部と、
前記第一面部の前記測色部において測色された色の光を前記第二面部の前記表示部に表示させ、前記第二面部の前記測色部において測色された色の光を前記第一面部の前記表示部に表示させる制御部と、を備えている
ことを特徴とする電子機器。
【請求項２】
請求項１に記載の電子機器において、
前記第二面部は、前記電子機器における前記第一面部の反対側の面であり、
前記第一面部の中心を通る法線と、前記第二面部の中心を通る法線とが一致している
ことを特徴とする電子機器。
【請求項３】
請求項２に記載の電子機器において、
前記第一面部及び前記第二面部に設けられ、前記第一面部及び前記第二面部に入射する光の入射角、及び前記第一面部及び前記第二面部から出射する光の出射角を制限する角度制限手段を備えている
ことを特徴とする電子機器。
【請求項４】
請求項１から請求項３のいずれかに記載の電子機器において、
前記第一面部には、複数の前記測色部、及び複数の前記表示部がアレイ状に配置されており、
前記第二面部には、前記第一面部に配置された複数の前記測色部に対応した複数の前記表示部、及び前記第一面部に配置された複数の前記表示部に対応した複数の前記測色部がアレイ状に配置されている
ことを特徴とする電子機器。
【請求項５】
請求項１から請求項４のいずれかに記載の電子機器において、
第一素子面、及び第一素子面とは反対側の第二素子面を有し、第一素子面又は第二素子面に入射された光のうち所定の波長の光を選択して反対側の素子面から出射させ、かつ前記出射させる光の波長を変更可能な分光素子と、
前記分光素子の前記第一素子面側に設けられ、前記第一素子面に向かって光を出射する光源部と、
前記分光素子の前記第一素子面側に設けられ、前記分光素子の前記第二素子面に入射されて前記第一素子面から出射された光の光量を検出する受光素子と、を備え、
前記測色部は、前記分光素子及び前記受光素子により構成され、
前記表示部は、前記分光素子及び前記光源部により構成されている
ことを特徴とする電子機器。
【請求項６】
請求項５に記載の電子機器において、
前記分光素子は、互いに対向する一対の反射膜と、前記一対の反射膜の間のギャップ寸法を変更可能なギャップ変更部と、を備えた波長可変型のファブリーペローエタロンであり、
前記第一素子面は、前記一対の反射膜の一方の反射膜における他方の反射膜とは反対側の面であり、前記第二素子面は、前記他方の反射膜の前記一方の反射膜とは反対側の面である
ことを特徴とする電子機器。
【請求項７】
請求項６に記載の電子機器において、
前記一対の反射膜を膜厚方向から見た平面視において、前記受光素子は、前記一対の反射膜の一部に重なり、前記光源部は、前記一対の反射膜の他の一部に重なっている
ことを特徴とする電子機器。
【請求項８】
請求項５から請求項７のいずれかに記載の電子機器において、
前記制御部は、前記測色部を制御して測色処理を実施する測色制御手段と、前記表示部を制御して表示処理を実施する表示制御手段と、前記測色処理を実施する測色モード、及び前記表示処理を実施する表示モードを所定間隔で切り替えるモード切替手段と、を有し、
前記表示制御手段は、前記測色モードにおいて前記光源部を消灯し、前記表示モードにおいて前記光源部を点灯させる
ことを特徴とする電子機器。
【請求項９】
請求項８に記載の電子機器において、
前記測色制御手段は、前記測色モードにおいて、１波長の光の光量を測定する
ことを特徴とする電子機器。
【請求項１０】
請求項８に記載の電子機器において、
前記測色制御手段は、前記測色モードにおいて、前記分光素子から出射させる光の波長を順次切り替えて、複数波長の光の光量を測定する
ことを特徴とする電子機器。
【請求項１１】
請求項１０に記載の電子機器において、
前記測色制御手段は、前記測色モードにおいて、前記表示モードにおける前記表示処理で前記表示部から表示させる光の波長に応じて、測色対象となる前記複数波長を選択する
ことを特徴とする電子機器。
【請求項１２】
請求項８から請求項１１のいずれかに記載の電子機器において、
前記表示制御手段は、前記測色処理により、光量が閾値以上となる複数の波長を検出した場合に、前記検出された各波長の光を順次切り替えて前記表示部から出射させる
ことを特徴とする電子機器。
【請求項１３】
請求項１２に記載の電子機器において、
前記表示制御手段は、前記検出された各波長の光の光量に応じて、前記表示部から出射させる各波長の光の光量を変更する
ことを特徴とする電子機器。
【請求項１４】
請求項１から請求項４のいずれかに記載の電子機器において、
前記表示部は、互いに対向する一対の反射膜と、前記一対の反射膜間のギャップ寸法を変更するギャップ変更部とを備え、一方の反射膜から反射膜間に入射された光のうち、所定波長の光を前記一方の反射膜側から出射させる反射型の波長可変ファブリーペローエタロンを備えている
ことを特徴とする電子機器。
【請求項１５】
第一素子面、及び第一素子面とは反対側の第二素子面を有し、第一素子面又は第二素子面に入射された光のうち所定の波長の光を選択して反対側の素子面から出射させ、かつ前記出射させる光の波長を変更可能な分光素子と、
前記分光素子の前記第一素子面側に設けられ、前記第一素子面に向かって光を出射する光源部と、
前記分光素子の前記第一素子面側に設けられ、前記分光素子の前記第二素子面から入射され、前記第一素子面から出射された光の光量を検出する受光素子と、
を具備したことを特徴とする光学モジュール。
【請求項１６】
第一素子面、及び第一素子面とは反対側の第二素子面を有し、第一素子面又は第二素子面に入射された光のうち所定の波長の光を選択して反対側の素子面から出射させ、かつ前記出射させる光の波長を変更可能な分光素子、前記分光素子の前記第一素子面側に設けられ、前記第一素子面に向かって光を出射する光源部、及び前記分光素子の前記第一素子面側に設けられ、前記分光素子の前記第二素子面から入射され、前記第一素子面から出射された光の光量を検出する受光素子を備えた光学モジュールの制御方法であって、
前記光学モジュールは一対設けられ、
一方の光学モジュールにおいて、前記第二素子面から入射され、前記第一素子面から出射された光を、前記受光素子を用いて測色し、
他方の光学モジュールにおいて、前記光源部からの光を前記第一素子面に入射させ、前記一方の光学モジュールにて測色された色の光を前記第二素子面から出射させる
ことを特徴とする光学モジュールの制御方法。
【発明の詳細な説明】
【技術分野】
【０００１】
本発明は、電子機器、光学モジュール、及び光学モジュールの制御方法に関する。
【背景技術】
【０００２】
従来、例えば家庭用電子機器（家電）等の電子機器において、どのような設置環境に対しても最適なデザイン性を提供するため、電子機器を設置環境と略同じ色に設定可能（透明化）な構成が望まれている。
これに対して、背面カメラで撮像した画像をディスプレイに表示させる装置が知られている（例えば、特許文献１参照）。特許文献１に記載の装置では、ディスプレイの背面側の環境を背面カメラで撮像し、前面側のディスプレイで表示させることで、擬似的な透明化を再現する。
【先行技術文献】
【特許文献】
【０００３】
【特許文献１】特表２００４−５２７０５０号公報
【発明の概要】
【発明が解決しようとする課題】
【０００４】
しかしながら、特許文献１の装置では、陰極線管（ＣＲＴ）や液晶ディスプレイ等のディスプレイにカメラで撮影した画像を表示させるものであり、装置の背面側から見た場合においては、前面側の画像が表示されず、透明化を実現できない。また、取得した画像をディスプレイのサイズに合わせて実物大となるように拡大縮小の処理を実施する必要があり、処理が煩雑になるという課題もある。
【０００５】
本発明は、複数方向から見た場合でも、機器の設置環境に応じた色を容易に表示可能な電子機器、光学モジュール、及び光学モジュールの制御方法を提供することを目的とする。
【課題を解決するための手段】
【０００６】
本発明の電子機器は、第一面部及び第二面部を備えた電子機器であって、前記第一面部及び前記第二面部のそれぞれに設けられ、所定波長の光を出射させる表示部と、前記第一面部及び前記第二面部のそれぞれに設けられ、当該面部に入射する光を測色する測色部と、前記第一面部の前記測色部において測色された色の光を前記第二面部の前記表示部に表示させ、前記第二面部の前記測色部において測色された色の光を前記第一面部の前記表示部に表示させる制御部と、を備えていることを特徴とする。
【０００７】
本発明では、第一面部に入射した光の測色結果に基づいた色を第二面部で表示させ、第二面部に入射した光の測色結果に基づいた色を第一面部で表示させる。
このため、電子機器の第一面部及び第二面部を設置環境の周囲色（背景色）に合わせることができる。また、例えば、従来のように、所定の視野角内を撮像した撮像画像を拡大縮小等の処理と実施してディスプレイ等に表示させる構成に比べて、測色部で測色した色を表示部で表示させる簡素な処理で、容易に電子機器の面部を設置環境に応じた背景色に合わせることができる。
【０００８】
本発明の電子機器において、前記第二面部は、前記電子機器における前記第一面部の反対側の面であり、前記第一面部の中心を通る法線と、前記第二面部の中心を通る法線とが一致していることが好ましい。
本発明では、電子機器の第一面部を正面、第二面部を背面とした場合に、電子機器の正面に、電子機器の背面側の背景色を表示させることができ、電子機器を擬似的に透明化することができる。例えば、壁面が赤色である室内に電子機器の第二面部が壁面と対向するように設置した際に、第一面部に赤色が映し出される。
また、本発明の第一面部及び第二面部を電子機器の外周面全体に設定することで、電子機器をどの方向から見ても透明であるかのように見せることができる。
【０００９】
本発明の電子機器において、前記第一面部及び前記第二面部に設けられ、前記第一面部及び前記第二面部に入射する光の入射角、及び前記第一面部及び前記第二面部から出射する光の出射角を制限する角度制限手段を備えていることが好ましい。
本発明では、第一面部及び第二面部に角度制限手段が設けられている。このため、電子機器の第一面部及び第二面部の斜め（所定角度以上の角度）からの光入射や、斜め方向への光の出射を抑制できる。この場合、電子機器の第一面部に第二面部に対向する背景色を精度よく再現でき、第二面部に第一面部に対向する背景色を精度よく再現でき、透明化の精度を向上できる（より透明であるかのように見せることができる）。
【００１０】
本発明の電子機器において、前記第一面部には、複数の前記測色部、及び複数の前記表示部がアレイ状に配置されており、前記第二面部には、前記第一面部に配置された複数の前記測色部に対応した複数の前記表示部、及び前記第一面部に配置された複数の前記表示部に対応した複数の前記測色部がアレイ状に配置されていることが好ましい。
【００１１】
本発明では、各面部に上述したような測色部及び表示部がアレイ状に配置されている。このような構成では、各測色部及び各表示部を画素単位として、第一面部や第二面部における各表示部でそれぞれ異なる色を表示させることができる。したがって、背景色をより精度よく表現することができ、より高度に擬似的透明化を実現できる。
【００１２】
本発明の電子機器において、第一素子面、及び第一素子面とは反対側の第二素子面を有し、第一素子面又は第二素子面に入射された光のうち所定の波長の光を選択して反対側の素子面から出射させ、かつ前記出射させる光の波長を変更可能な分光素子と、前記分光素子の前記第一素子面側に設けられ、前記第一素子面に向かって光を出射する光源部と、前記分光素子の前記第一素子面側に設けられ、前記分光素子の前記第二素子面に入射されて前記第一素子面から出射された光の光量を検出する受光素子と、を備え、前記測色部は、前記分光素子及び前記受光素子により構成され、前記表示部は、前記分光素子及び前記光源部により構成されていることが好ましい。
【００１３】
本発明では、測色部は、分光素子及び受光素子により構成され、分光素子の第二素子面から入射され第一素子面から出射された光を検出する。このような構成では、分光素子から出射させる光の波長を順次変更することで、各波長の光量を検出でき、第一面部や第二面部に入射された光を測色できる。また、表示部は、分光素子及び光源により構成され、光源から第一素子面に入射され、第二素子面から出射された光を第一面部や第二面部から出射させる。分光素子から出射させる光の波長を制御し、測色部にて測色された色に合わせることができる。
【００１４】
本発明の電子機器において、前記分光素子は、互いに対向する一対の反射膜と、前記一対の反射膜の間のギャップ寸法を変更可能なギャップ変更部と、を備えた波長可変型のファブリーペローエタロンであり、前記第一素子面は、前記一対の反射膜の一方の反射膜における他方の反射膜とは反対側の面であり、前記第二素子面は、前記他方の反射膜の前記一方の反射膜とは反対側の面である
ことが好ましい。
【００１５】
本発明では、分光素子は、波長可変型のファブリーペローエタロンにより構成されている。このようなファブリーペローエタロンは、例えばＬＣＴＦ（液晶チューナブルフィルター）やＡＯＴＦ（音響光学チューナブルフィルター）等と比べ、薄型化が可能であり、電子機器の小型化を図ることができ、電子機器の体積を有効活用できる。
【００１６】
本発明の電子機器において、前記一対の反射膜を膜厚方向から見た平面視において、前記受光素子は、前記一対の反射膜の一部に重なり、前記光源部は、前記一対の反射膜の他の一部に重なっていることが好ましい。
【００１７】
本発明では、測色部及び表示部で、１つの分光素子（ファブリーペローエタロン）を共有して用いることができ、例えば、測色部用の分光素子及び表示部用の分光素子を用いる場合に比べて、電子機器を小型化できる。
【００１８】
本発明の電子機器において、前記制御部は、前記測色部を制御して測色処理を実施する測色制御手段と、前記表示部を制御して表示処理を実施する表示制御手段と、前記測色処理を実施する測色モード、及び前記表示処理を実施する表示モードを所定間隔で切り替えるモード切替手段と、を有し、前記表示制御手段は、前記測色モードにおいて前記光源部を消灯し、前記表示モードにおいて前記光源部を点灯させることが好ましい。
本発明では、測色モードにおいて、光源が点灯されないため、測色処理時に受光素子に光源部からの光が入射されず、測色精度を向上させることができる。
【００１９】
本発明の電子機器において、前記測色制御手段は、前記測色モードにおいて、１波長の光の光量を測定することが好ましい。
本発明では、表示モードと測色モードとを切り替え、測色モードにおいて、１波長の光の光量のみを測定する。このような処理では、１回の測色モードに係る時間を短縮でき、表示モードにおいて、色を表示する時間を長くすることができる。また、分光素子として波長可変型のファブリーペローエタロンを用いる場合、１回の測色として数ｍｓにでき、測色モード時において表示部から色光を出射されなくても、人の視覚では連続的に色光が出射されていると感じることができる。すなわち、電子機器の第一面部や第二面部を連続的に周囲の環境に合わせた色に設定することができる。
【００２０】
本発明の電子機器において、前記測色制御手段は、前記測色モードにおいて、前記分光素子から出射させる光の波長を順次切り替えて、複数波長の光の光量を測定することが好ましい。
本発明では、１回の測色モードにおいて、複数の波長の光の光量を取得する。この場合、一度に多くの波長の光の光量を取得するので、測色処理をより迅速に終わらせることができる。
【００２１】
本発明の電子機器において、前記測色制御手段は、前記測色モードにおいて、前記表示モードにおける前記表示処理で前記表示部から表示させる光の波長に応じて、測色対象となる前記複数波長を選択することが好ましい。
【００２２】
本発明では、表示部から出射させる光の波長に応じて、１回の測色モードで測色する波長を選択する。例えば、波長可変型のファブリーペローエタロンでは、反射膜間のギャップ寸法の変動量を小さくするために、ギャップ寸法を大きい順又は小さい順に順次駆動させることが好ましい。ここで、測定対象波長域をλａ〜λｂとし、表示部から出射させる光をλｏとすると、１回目の測色モードにおいて、λａ〜λｏの各波長の光を順次測色し、表示モードに移行し、２回目の測色モードにおいて、λｂ〜λｏの各波長の光を順次測色する。これにより、測色モードから表示モードに移行する際に、ギャップ寸法の変動が小さく、表示部から所望波長の光を迅速に出射させることができる。
【００２３】
本発明の電子機器において、前記表示制御手段は、前記測色処理により、光量が閾値以上となる複数の波長を検出した場合に、前記検出された各波長の光を順次切り替えて前記表示部から出射させることが好ましい。
【００２４】
本発明では、測色処理において、複数の波長の光に対して閾値以上の光量が得られた場合、表示モードにおいて、これらの波長の光を順次切り替えて出射させる。ここで、高速で出射光の波長を切り替えることで、人の目には、これらの波長の光が同時に出射された色光と感じさせることができる。
【００２５】
本発明の電子機器において、前記表示制御手段は、前記検出された各波長の光の光量に応じて、前記表示部から出射させる各波長の光の光量を変更することが好ましい。
本発明では、上記のように高速で表示部から出射させる光の波長を切り替える際に、各波長の光の光量に応じて、出射光の光量を変更する。出射光の光量の変更では、測色処理で検出された光量の比に応じて、光の出射時間を長くしてもよく、出射回数を多くしてもよく、光源への印加電圧を制御して光量を制御してもよい。これにより、測色された色を精度よく再現することができる。
【００２６】
本発明の電子機器において、前記表示部は、互いに対向する一対の反射膜と、前記一対の反射膜間のギャップ寸法を変更するギャップ変更部とを備え、一方の反射膜から反射膜間に入射された光のうち、所定波長の光を前記一方の反射膜側から出射させる反射型の波長可変ファブリーペローエタロンを備えていることが好ましい。
本発明では、表示部は、反射型の波長可変型ファブリーペローエタロンを用いる。この場合、各面部に入射する外光を分光して所望波長の光を出射させるため、光源部を不要にでき、構成の簡略化を図れる。
【００２７】
本発明の光学モジュールは、第一素子面、及び第一素子面とは反対側の第二素子面を有し、第一素子面又は第二素子面に入射された光のうち所定の波長の光を選択して反対側の素子面から出射させ、かつ前記出射させる光の波長を変更可能な分光素子と、前記分光素子の前記第一素子面側に設けられ、前記第一素子面に向かって光を出射する光源部と、前記分光素子の前記第一素子面側に設けられ、前記分光素子の前記第二素子面から入射され、前記第一素子面から出射された光の光量を検出する受光素子と、を具備したことを特徴とする。
【００２８】
本発明では、１つの光学モジュールにより、入射光の測色と、所望波長の出射光の出射との双方を実現できる。このため、このような光学モジュールを対象物の表面に配置することで、簡素な構成で、対象物を周囲の環境の背景色に合わせた色に設定することができる。
【００２９】
本発明の光学モジュールの制御方法は、第一素子面、及び第一素子面とは反対側の第二素子面を有し、第一素子面又は第二素子面に入射された光のうち所定の波長の光を選択して反対側の素子面から出射させ、かつ前記出射させる光の波長を変更可能な分光素子、前記分光素子の前記第一素子面側に設けられ、前記第一素子面に向かって光を出射する光源部、及び前記分光素子の前記第一素子面側に設けられ、前記分光素子の前記第二素子面から入射され、前記第一素子面から出射された光の光量を検出する受光素子を備えた光学モジュールの制御方法であって、前記光学モジュールは一対設けられ、一方の光学モジュールにおいて、前記第二素子面から入射され、前記第一素子面から出射された光を、前記受光素子を用いて測色し、他方の光学モジュールにおいて、前記光源部からの光を前記第一素子面に入射させ、前記一方の光学モジュールにて測色された色の光を前記第二素子面から出射させることを特徴とする。
【００３０】
本発明では、上述のように、１つの光学モジュールにより、入射光の測色と、所望波長の出射光の出射との双方を実現できる。したがって、２つ以上の光学モジュールを電子機器の表面に配置すれば、一方の光学モジュールを用いて測色処理を実施し、他方の光学モジュールでその一方の光学モジュールの測色結果に応じた光を出射させることで、周囲の環境に応じた背景色を表示部から出射させることができる。
【図面の簡単な説明】
【００３１】
【図１】第一実施形態の電子機器の概略構成を示す斜視図。
【図２】第一実施形態電子機器及び光学モジュールの概略を示す概略図。
【図３】第一実施形態の波長可変干渉フィルター５の概略構成を示す断面図。
【図４】第一実施形態の光学モジュールの制御方法を示すフローチャート。
【図５】第一実施形態の動作モードの切替タイミング（経過時間）と波長可変干渉フィルターを透過する光のピーク波長の一例を示す図。
【図６】第二実施形態の動作モードの切替タイミング（経過時間）と波長可変干渉フィルターを透過する光のピーク波長の一例を示す図。
【図７】第二実施形態の光学モジュールの制御方法を示すフローチャート。
【図８】第三実施形態の電子機器の概略構成を示す斜視図。
【発明を実施するための形態】
【００３２】
［第一実施形態］
以下、本発明に係る第一実施形態に係る電子機器について、図面に基づいて説明する。
図１は、第一実施形態の電子機器の概略構成を模式的に示した斜視図である。
図１において、電子機器１０は、複数の面部１１を有し、このうち、互いに平行となり、かつ中心を通る法線が一致する一対の面部１１が本発明の第一面部１１Ａ及び第二面部１１Ｂとなる。
電子機器１０としては、例えばオーディオ機器やパーソナルコンピューター、テレビジョン装置等の他、タンスやテレビ台等の表面を本発明の光学モジュールで覆ったものをも含む。図１では、一例として、直方体状の電子機器１０を例示するが、その他のいかなる形状に形成されていてもよい。
【００３３】
図２は、本実施形態の電子機器及び光学モジュールの概略を示す概略図である。
図２に示すように、第一面部１１Ａ、及び、第二面部１１Ｂには、それぞれ、本発明の光学モジュール２０（第一面部１１Ａ側の第一光学モジュール２０Ａ、第二面部１１Ｂ側の第二光学モジュール２０Ｂ）が配置されている。
また、図２に示すように、電子機器１０は、各光学モジュール２０を制御するための制御部３０を備えている。
【００３４】
［光学モジュールの構成］
光学モジュール２０は、図２に示すように、本発明の分光素子である波長可変干渉フィルター５と、受光素子２１と、光源部２２とを備えている。
【００３５】
（波長可変干渉フィルターの構成）
波長可変干渉フィルター５は、本発明における分光素子を構成する波長可変型ファブリーペローエタロン素子である。
図３は、波長可変干渉フィルター５の概略構成を示す断面図である。
この波長可変干渉フィルター５は、例えばガラス基板などの透明部材により構成される固定基板５１、及び可動基板５２を備え、これらの固定基板５１及び可動基板５２が、例えばシロキサンを主成分とするプラズマ重合膜などにより構成された接合膜５３により接合されることで、一体的に構成されている。このような波長可変干渉フィルター５を用いることで、例えば分光素子としてＡＯＴＦやＬＣＴＦを用いる場合等に比べて、光学モジュール２０の小型化を促進でき、電子機器１０の小型化及び体積の有効活用を促進できる。
【００３６】
固定基板５１は、エッチングにより形成された電極配置溝５１１および反射膜設置部５１２を備えている。そして、電極配置溝５１１には、固定電極５６１が設けられ、反射膜設置部５１２には、固定反射膜５４が設けられている。
固定電極５６１は、電極配置溝５１１において、例えば反射膜設置部５１２を囲う環状に形成されている。
この固定反射膜５４としては、例えばＡｇ等の金属膜や、Ａｇ合金等の合金膜を用いることができる。また、例えば高屈折層をＴｉＯ２、低屈折層をＳｉＯ２とした誘電体多層膜を用いてもよい。さらに、誘電体多層膜上に金属膜（または合金膜）を積層した反射膜や、金属膜（または合金膜）上に誘電体多層膜を積層した反射膜、単層の屈折層（ＴｉＯ２やＳｉＯ２等）と金属膜（または合金膜）とを積層した反射膜などを用いてもよい。
また、固定反射膜５４における、可動反射膜５５とは反対側の面は、本発明の第二素子面を構成する。
【００３７】
可動基板５２は、図３に示すように、可動部５２１と、可動部５２１の外に設けられ、可動部５２１を保持する保持部５２２とを備えている。
可動部５２１は、保持部５２２よりも厚み寸法が大きく形成され、例えば、本実施形態では、可動基板５２の厚み寸法と同一寸法に形成されている。この可動部５２１は、フィルター平面視において、少なくとも反射膜設置部５１２の外周縁の径寸法よりも大きい径寸法に形成されている。そして、この可動部５２１には、可動電極５６２及び可動反射膜５５が設けられている。
【００３８】
可動電極５６２は、固定電極５６１に対向する位置に設けられている。また、可動反射膜５５は、固定反射膜５４に対向する位置に、反射膜間ギャップＧ１を介して配置されている。この可動反射膜５５としては、上述した固定反射膜５４と同一の構成の反射膜が用いられる。また、可動反射膜５５の固定反射膜５４とは反対側の面は、本発明の第一素子面を構成する。
【００３９】
保持部５２２は、可動部５２１の周囲を囲うダイアフラムであり、可動部５２１よりも厚み寸法が小さく形成されている。このような保持部５２２は、可動部５２１よりも撓みやすく、僅かな静電引力により、可動部５２１を固定基板５１側に変位させることが可能となる。これにより、固定反射膜５４及び可動反射膜５５の平行度を維持した状態で、反射膜間ギャップＧ１のギャップ寸法を変更することが可能となる。
なお、本実施形態では、ダイアフラム状の保持部５２２を例示するが、これに限定されず、例えば、可動部５２１の平面中心点Ｏを中心として、等角度間隔で配置された梁状の保持部が設けられる構成などとしてもよい。
【００４０】
以上のような波長可変干渉フィルター５では、固定電極５６１及び可動電極５６２により本発明のギャップ変更部である静電アクチュエーター５６が構成されており、これらの電極５６１，５６２が図示略の電圧制御回路（ドライバー）を介して制御部３０に接続されている。そして、制御部３０の制御の下、電圧制御回路から静電アクチュエーター５６に電圧が印加されることで、電圧（Ｖ）に応じた静電引力が電極５６１，５６２間に作用し、反射膜５４，５５間のギャップＧ１の寸法が変更される。これにより、波長可変干渉フィルター５を透過する光の波長（λ）を変化させることが可能となる。なお、本実施形態では、波長可変干渉フィルター５において、静電アクチュエーター５６に印加する電圧（Ｖ）と透過する光の波長（λ）との関係であるＶ−λデータが、後述する制御部３０内の記憶手段に記憶される。
【００４１】
（波長可変干渉フィルターの配置）
上述のような波長可変干渉フィルター５は、各面部１１の表面に配置されている。具体的には、図２に示すように、固定基板５１が、電子機器１０における表面側に配置され、可動基板５２が、電子機器１０の内部側に配置される。
また、固定基板５１の表面には、本発明の角度制限手段２３が設けられている。角度制限手段２３としては、例えばＬＣＦ（Light Control Film：登録商標）を用いることができる。その他、角度制限手段として、所定の板厚寸法を有し、板厚方向に複数の貫通孔が形成された板状部材等を用いることができる。このような角度制限手段２３を用いることで、面部１１に入射される光の入射角、面部１１から出射される光の出射角を所定の角度以下に制限できる。
【００４２】
（受光素子及び光源部の構成）
受光素子２１及び光源部２２は、光学モジュール２０において、電子機器１０の内部側に設けられ、可動基板５２に近接する位置に設けられている。すなわち、受光素子２１及び光源部２２は、可動反射膜５５側（本発明の第一素子面側）に設けられている。
また、受光素子２１及び光源部２２は、反射膜５４，５５の膜厚方向から見た平面視で、これらの反射膜５４，５５が重なり合う領域（干渉領域Ａ１）内に配置されている。具体的には、受光素子２１は、干渉領域Ａ１の中心点に設けられ、受光素子２１を囲って光源部２２が設けられている。
本実施形態では、波長可変干渉フィルター５により面分光された光を受光素子２１で受光させる必要はなく、波長可変干渉フィルター５のフィルター中心を通る光軸上の一点における光の強度を計測できればよい。したがって、受光素子２１の面積や、光源部２２の面積に比べて十分に小さく形成されている。
光源部２２は、例えば白色光を出射可能な光源である、この光源部２２としては、電子機器１０の省スペースのため、白色ＬＥＤ等で構成されていることが好ましい。
【００４３】
［制御部の構成］
制御部３０は、例えばＣＰＵやメモリー等が組み合わされることで構成され、電子機器における各光学モジュール２０の動作を制御する。この制御部３０は、図示略の記憶部を備える。記憶部には、波長可変干渉フィルター５の静電アクチュエーター５６に印加する駆動電圧に対する、当該波長可変干渉フィルター５を透過する光の波長の関係を示すＶ−λデータが記憶される。
また、記憶部には、光学モジュールを動作するためのプログラム等が記録されている。
【００４４】
そして、制御部３０は、記憶部に記憶されたプログラムを読み込むことで各種処理を実行され、モード切替手段３１、フィルター制御手段３２、光源制御手段３３、光量取得手段３４等として機能する。
なお、本実施形態では、制御部３０が記憶部に記憶されたソフトウェアであるプログラムを読み込み実行することで、各機能の処理を実施する例を示すがこれに限定されない。例えば、ＩＣ等の集積回路（ハードウェア）により、各機能が実現される構成などとしてもよい。
【００４５】
モード切替手段３１は、光学モジュール２０における動作モードを測色モード及び表示モードのいずれかに切り替える。
フィルター制御手段３２は、各動作モードに対応して、波長可変干渉フィルター５を制御する。具体的には、フィルター制御手段３２は、測色処理手段３２Ａと、表示処理手段３２Ｂとを備えている。測色処理手段３２Ａは、モード切替手段３１により、動作モードが測色モードに設定された際に、波長可変干渉フィルター５を駆動させる。表示処理手段３２Ｂは、モード切替手段３１により、動作モードが表示モードに設定された際に、波長可変干渉フィルター５を駆動させる。
【００４６】
光源制御手段３３は、光学モジュール２０の光源部２２の点灯及び消灯を制御する。
光量取得手段３４は、光学モジュール２０の受光素子２１の駆動を制御し、受光素子２１から入力された検出信号に基づいて、光量を取得する。
【００４７】
ここで、フィルター制御手段３２（表示処理手段３２Ｂ）及び光源制御手段３３により、本発明における表示制御手段が構成され、フィルター制御手段３２（測色処理手段３２Ａ）及び光量取得手段３４により、本発明における測色制御手段が構成される。
そして、制御部３０は、図２に示すように、第一面部１１Ａ側の第一光学モジュール２０Ａの受光素子２１にて検出された光（図２における矢印Ｙ１１）の光量に基づいて、第一面部１１Ａから入射される光を測色し、第二面部１１Ｂ側の第二光学モジュール２０Ｂから測色された光（Ｙ１１）と同じ波長の光（図２における矢印Ｙ１２）を出射させる。また、第二面部１１Ｂ側の第二光学モジュール２０Ｂの受光素子２１にて検出された光（図２における矢印Ｙ２１）の光量に基づいて、第二面部１１Ｂから入射される光を測色し、第一面部１１Ａ側の第一光学モジュール２０Ａから測色された光（Ｙ２１）と同じ波長の光（図２における矢印Ｙ２２）を出射させる。
なお、各機能の詳細については後述する。
【００４８】
［電子機器における光学モジュールの制御方法］
次に、図面に基づいて、本実施形態における電子機器の光学モジュールの制御方法について説明する。
図４は、光学モジュールの制御方法を示すフローチャートである。
本実施形態では、電子機器１０の各面部１１を周囲環境の背景色に応じた色に設定するために、まず、制御部３０により初期測定処理が実施される。
この初期測定処理では、モード切替手段３１は、動作モードを測色モードに切り替える（ステップＳ１）。これにより、測色処理手段３２Ａ及び光量取得手段３４により、可視光域における各波長の光の測色処理（初回測色処理）が実施される。また、ステップＳ１により、測色モードに切り替えられると、光源制御手段３３は、光源部２２を消灯させる。
本実施形態では、可視光域（例えば３８０ｎｍ〜７２０ｎｍ）において、所定波長間隔（例えば２０ｎｍ）となる測色対象の波長λ０〜λＮ（例えば、３８０ｎｍ〜７２０ｎｍを２０ｎｍ間隔で取得する場合は、λ０＝７２０ｎｍ、λＮ＝λ１６＝３８０ｎｍ）を取得するものとする。
【００４９】
具体的には、測色処理手段３２Ａは、測色用の目標波長λｎ（なお、変数ｎの初期値は「０」とする）に対応する駆動電圧を、記憶部に記憶されたＶ−λデータを参照して取得し、波長可変干渉フィルター５の静電アクチュエーター５６に印加させる（ステップＳ２）。
これにより、電子機器１０の各面部１１から波長可変干渉フィルター５に入射した光のうち目標波長λｎの光が透過して受光素子２１にて受光される。光量取得手段３４は、受光素子２１から出力される検出信号に基づいて、目標波長λｎに対する光量Ｌｎを取得する（ステップＳ３）。なお、取得した光量Ｌｎは、目標波長λｎと関連付けて記憶部に記憶される。各面部１１の光学モジュール２０により上記光量測定が実施されるため、記憶部には、各面部１１において入射した各波長光の光量がそれぞれ記憶される。
【００５０】
次に、測色処理手段３２Ａは、変数ｎが最大値Ｎ以上か否かを判定する（ステップＳ４）。ステップＳ４で「Ｎｏ」と判定された場合は、変数ｎに「１」を加算し（ステップＳ５）、ステップＳ２に戻る。ステップＳ４で「Ｙｅｓ」と判定された場合は、モード切替手段３１が、動作モードを表示モードに切り替える（ステップＳ６）。このステップＳ６の際、測色処理手段３２Ａは、変数ｎを初期値「０」に戻す。
【００５１】
ステップＳ６により動作モードが表示モードにされると、光源制御手段３３は、光源部２２を点灯させる（ステップＳ７）。
また、フィルター制御手段３２の表示処理手段３２Ｂは、記憶部に記憶された測色結果に基づいて、第一面部１１Ａ及び第二面部１１Ｂで表示させる色を決定する。具体的には、表示処理手段３２Ｂは、各面部１１の光学モジュール２０の受光素子２１により受光された各波長の光から、光量Ｌｎが予め設定された閾値Ｌｓを超える波長λa（表示波長λａ）を、それぞれ特定する（ステップＳ８）。
【００５２】
この後、表示処理手段３２Ｂは、ステップＳ８にて特定された各波長λａに対応した駆動電圧をＶ−λデータから読み出し、各光学モジュール２０の波長可変干渉フィルター５に印加する（ステップＳ９）。
ここで、表示処理手段３２Ｂは、電子機器１０において互いに反対側面となり中心を通る法線が一致する一対の面部１１（第一面部１１Ａ及び第二面部１１Ｂ）における各光学モジュール２０（第一光学モジュール２０Ａ及び第二光学モジュール２０Ｂ）において、次のように表示処理を実施する。すなわち、表示処理手段３２Ｂは、第二光学モジュール２０Ｂにおいて測色された測色結果（ステップＳ８で特定された波長λａ）に対応する駆動電圧を、第一光学モジュール２０Ａの波長可変干渉フィルター５の静電アクチュエーター５６に印加する。また、表示処理手段３２Ｂは、第一光学モジュール２０Ａにおいて測色された測色結果（ステップＳ８で特定された波長λａ）に対応する駆動電圧を、第二光学モジュール２０Ｂの波長可変干渉フィルター５の静電アクチュエーター５６に印加する。
これにより、第一面部１１Ａの第一光学モジュール２０Ａからは、第二面部１１Ｂ側に背景色に基づいた色の光が出射され、第二面部１１Ｂの第二光学モジュール２０Ｂからは、第一面部１１Ａ側に背景色に基づいた色の光が出射される。
【００５３】
なお、上記は、ステップＳ８において特定された波長が１つの場合であるが、光量Ｌｎが閾値Ｌｓ以上となる波長λａが複数ある場合、表示処理手段３２Ｂは、これらの波長λａ（λａ１、λａ２、λａ３…λａｍ）に対応した駆動電圧をＶ−λデータから読み出して、順次、駆動電圧を切り替えて波長可変干渉フィルター５に印加する。
この際、読み出した駆動電圧が小さい順又は大きい順に、静電アクチュエーター５６に印加することで、波長可変干渉フィルター５のギャップＧ１の寸法の変動がより迅速に収束（安定化）し、精度よく所望の波長λａ（λａ１、λａ２、λａ３…λａｍ）の光を出射させることができる。この場合、ギャップＧ１が安定化する安定化時間としては、０．１ｍｓから１０ｍｓ程度であり、当該速度で駆動電圧を切り替えた場合に人の目には各波長の光を合成した色が認識されることになる。以上により、第一面部１１Ａの第一光学モジュール２０Ａからは、第二面部１１Ｂ側に背景色に基づいた色の光が出射され、第二面部１１Ｂの第二光学モジュール２０Ｂからは、第一面部１１Ａ側に背景色に基づいた色の光が出射されることになる。
【００５４】
さらに、表示処理手段３２Ｂは、特定された波長λａが複数ある場合、各波長λａに対する光量Ｌｎを取得し、その光量Ｌｎに応じて出射させる光の光量を変化させる。
表示処理手段３２Ｂは、出射光の光量調整は、例えば出射させる各波長の光の出射時間を、測定された光量に応じて変化させる。例えばステップＳ８で波長λａ１、波長λａ２、波長λａ３が特定され、これらの光量比が１：２：３である場合、波長λａ１の光への切替回数に対して、波長λａ２の光への切替回数を２倍とし、波長λａ３の光への切替回数を３倍とする。また、１回の表示時間（他の波長の光に切り替えるまでの時間）を、波長λａ１の光の表示時間に対して、波長λａ２の光の表示時間を２倍、波長λａ３の表示時間を３倍にしてもよい。いずれの場合でも、波長λａ１の光の総表示時間に対して、波長λａ２の光の総表示時間が２倍、波長λａ３の光の総表示時間が３倍となり、測定された光量比１：２：３の色光を再現できる。
また、表示処理手段３２Ｂによる駆動電圧の切替タイミングに同期して、光源部２２に印加する電圧を光量比に応じて変化させてもよい。この場合では、各波長の総表示時間を変更することなく、適切な色光を出射させることができる。
【００５５】
上述のような表示モードにおける表示処理が実施されている間、モード切替手段３１は、表示モードに切り替えてからの表示時間ｔをカウントし、カウントされた表示時間ｔが所定の設定時間Ｔを超えたか否かを判定する（ステップＳ１０）。
ステップＳ１０において、「Ｎｏ」と判定された場合、モード切替手段３１は、動作モードを表示モードに維持し、ステップＳ９に戻り、表示処理を継続する。
ステップＳ１０において、「Ｙｅｓ」と判定された場合、モード切替手段３１は、動作モードを測色モードに切り替える（ステップＳ１１）。
【００５６】
ステップＳ１１により測色モードに切り替えられると、光源制御手段３３は、光源部２２を消灯する（ステップＳ１２）。
また、測色処理手段３２Ａは、ステップＳ２と同様、測色用の目標波長λｎに対応する駆動電圧を、記憶部に記憶されたＶ−λデータを参照して取得し、波長可変干渉フィルター５の静電アクチュエーター５６に印加させる（ステップＳ１３）。また、ステップＳ３と同様、光量取得手段３４は、電子機器１０の各面部１１から入射された目標波長λｎの光の光量Ｌｎを取得する（ステップＳ１４）。取得した光量Ｌｎは、目標波長λｎと関連付けて記憶部に記憶される。つまり、記憶部に記憶されている目標波長λｎに対する光量Ｌｎを更新する。
【００５７】
次に、測色処理手段３２Ａは、ステップＳ４と同様に、変数ｎが最大値Ｎ以上か否かを判定する（ステップＳ１５）。
ステップＳ１５において、「Ｙｅｓ」と判定された場合は、測色処理手段３２Ａは、変数ｎを初期化し「０」を設定する（ステップＳ１６）。また、ステップＳ１５において、「Ｎｏ」と判定された場合は、測色処理手段３２Ａは、変数ｎに「１」を加算する（ステップＳ１７）。
この後、モード切替手段３１は、例えば電源オフのボタンが押される等により、表示を終了させる旨の指令を受けたか否かを判定する（ステップＳ１８）。ステップＳ１８にて「Ｙｅｓ」と判定された場合は、光学モジュール２０の駆動制御を終了させる。
また、ステップＳ１８において、「Ｎｏ」と判定された場合は、モード切替手段３１は、動作モードを表示モードに切り替え（ステップＳ１９）、ステップＳ７の処理に戻る。
【００５８】
図５は、本実施形態の動作モードの切替タイミング（経過時間）と波長可変干渉フィルターを透過する光のピーク波長の一例を示す図である。
上記ステップＳ１２〜ステップＳ１９に示すように、本実施形態では、２回目以降の測色モードにおいて、１波長の光の光量のみを測定する。上述したように、波長可変干渉フィルター５のギャップ寸法を変動させて安定化するまでに要する時間は、０．１ｍｓから１０ｍｓ程度である。また、ステップＳ１４の光量Ｌｎの取得に要する時間は、主に受光素子２１が受光に要する時間であり、０．１ｍｓから１ｍｓ程度である。つまり、ステップＳ１１において、動作モードが測色モードに切り替えられ、ステップＳ１９において再び表示モードに切り替えられる時間は、０．２ｍｓから１１ｍｓ程度となり、表示時間ｔに対して十分に小さい。したがって、測色モードに切り替わったとしても、人の目には認識できない程度の時間であり、観察者に各光学モジュール２０からは背景色に応じた色が継続して出力（表示）されているかのように認識させることができる。
【００５９】
［第一実施形態の作用効果］
本実施形態では、電子機器１０において、各面部１１に、波長可変干渉フィルター５及び光源部２２により構成される表示部と、波長可変干渉フィルター５及び受光素子２１により構成される測色部とを備えている。そして、制御部３０は、第一面部１１Ａに入射された光を第一面部１１Ａの測色部において測色し、第二面部１１Ｂの表示部を制御して、第一面部１１Ａの測色部で測色された色の光を出力させる。また、制御部３０は、第二面部１１Ｂに入射された光を第二面部１１Ｂの測色部において測色し、第一面部１１Ａの表示部を制御して、第二面部１１Ｂの測色部で測色された色の光を出力させる。
このため、第一面部１１Ａ及び第二面部１１Ｂの双方を、電子機器１０が設置された周囲環境の背景色に合わせた色に設定でき、意匠性の向上を図れる。また、このような面部１１を図１に示すように、電子機器１０における複数面や全面に配置することで、電子機器１０の全体を背景色と同じ色に設定できる。
さらに、測色部にて測色された色の光を表示部から表示させるため、例えば撮像画像を実際の背景に合わせて拡大縮小する等の処理を実施して擬似的透明化を実現する場合よりも、処理が容易であり、装置コストも抑えることができる。
【００６０】
本実施形態では、第一面部１１Ａ及び第二面部１１Ｂは、電子機器１０における互いに反対側を構成する面であり、その中心を通る法線が一致している。したがって、第一面部１１Ａの光学モジュール２０（第一光学モジュール２０Ａ）から、電子機器１０における当該第一面部１１Ａの反対側の背景色が出力されることになり、擬似的な透明化を実現できる。第二面部１１Ｂにおいても同様である。
ここで、各面部１１における光学モジュール２０の波長可変干渉フィルター５の固定基板５１には、角度制限手段２３が設けられている。このため、電子機器１０における第一面部１１Ａの反対側の背景色を第二光学モジュール２０Ｂにより精度よく測色できる。
【００６１】
本実施形態では、光学モジュール２０は、波長可変干渉フィルター５と、受光素子２１と、光源部２２とにより構成され、上記のように波長可変干渉フィルター５及び受光素子２１により測色部が構成され、波長可変干渉フィルター５及び光源部２２により表示部が構成される。
このような構成では、測色部において、波長可変干渉フィルター５を透過させる光を順次変更することで各波長の光を測色することができる。したがって、例えば複数のカラーフィルターを用いて測色を実施する場合に比べて、測色部の小型化を図れ、測定する目標波長を細かく設定することができるため、測色精度も向上させることができる。また、表示部においても、表示させる色に応じて波長可変干渉フィルター５を透過させる光を変更すればよく、複数のカラーフィルターを用いる場合に比べて、処理を簡単にできる。
また、分光素子として波長可変干渉フィルター５を用いているため、例えばＡＯＴＦやＬＣＴＦ等を用いる場合に比べて薄型化及び小型化を図れ、電子機器１０のサイズも小型化できる。
【００６２】
また、各光学モジュール２０において、波長可変干渉フィルター５の一対の反射膜５４，５５が重なり合う干渉領域Ａ１の一部に受光素子２１が重なり、干渉領域Ａ１の一部に光源部２２が重なる。このような構成では、１つの波長可変干渉フィルター５を測色部及び表示部の双方に用いることができ（測色部及び表示部で波長可変干渉フィルター５を共通にでき）、例えば測色部用の波長可変干渉フィルター及び表示部用波長可変干渉フィルターを用いる場合に比べて、光学モジュール２０の小型化を図れる。
【００６３】
本実施形態では、制御部３０のモード切替手段３１は、測色モード及び表示モードを所定の間隔で切り替える。したがって、表示モードにおいて、各面部１１の光学モジュール２０で背景色に応じた表示を実施している際にも、定期的に測色モードに切り替えられることで測色処理を実施するので、背景色が変化した場合でも、変化した背景色に応じて各面部の表示色を変更できる。
また、測色モードでは、光源制御手段３３により光源部２２が消灯される。これにより、測色時に光源部２２の光が回り込んで入射することなく、高精度に測色処理を実施できる。
【００６４】
また、本実施形態では、２回目以降の測色モードにおいて、１回の測色処理で１波長の光の光量を検出する。１波長の光の測色に係る時間は、波長可変干渉フィルター５から出射させる光の波長を切り替えるために要する時間と受光素子２１が受光に要する時間との合計とほぼ同じであり、約０．２〜１１ｍｓとなる。したがって、測色モードに切り替わる時間も０．２〜１１ｍｓ程度となる。このような測色時間を設けることで、人の目に連続的に背景色に応じた色光が出力されるように感じさせることができる。
【００６５】
本実施形態では、測色モードにおいて、第一光学モジュール２０Ａ（第二光学モジュール２０Ｂ）の受光素子２１で検出された光量Ｌｎのうち、閾値Ｌｓを超える光量Ｌｎに対応した波長を特定し、その特定した波長の色光を第二光学モジュール２０Ｂ（第二光学モジュール２０Ｂの測色結果に対しては第一光学モジュール２０Ａ）から出力させる。
この際、特定した波長が複数ある場合、表示処理手段３２Ｂは、静電アクチュエーター５６に印加する駆動電圧を高速で順次切り替え、波長可変干渉フィルター５から出力させる光の波長を高速で切り替える。
ここで、波長可変干渉フィルター５において、波長を切り替えるために要する時間は、上記のように、０．１〜１０ｍｓであり、短時間で出射される光の波長が切り替えられることになる。この場合、人の目では切り替えられた波長の光を合成した光が認識される。これにより、測色により得られた背景色の光を擬似的に再現することができる。
【００６６】
この際、表示処理手段３２Ｂは、測色モードにおける測色処理により得られた各波長の光量に応じて、表示モードにおける出射させる各波長の光の光量を変更する。これにより、各面部１１から出射させる光をより精度よく背景色に合わせることができる。
【００６７】
［第二実施形態］
次に本発明に係る第二実施形態について、図面に基づいて説明する。
上記第一実施形態では、ステップＳ１２〜ステップＳ１９に示すように、２回目以降の測色モードにおいて、一回の測色処理で、１波長の光の光量のみを測定した後、表示モードに移行する処理を実施した。これに対して、第二実施形態では、１回の測色処理で複数波長の光の光量を測定する点で、上記実施形態と相違する。
【００６８】
図６は、第二実施形態における動作モードの切替タイミングと波長可変干渉フィルターから透過させる光の波長の一例を示す図である。なお、以降の説明にあたり、同一構成については同一の符号を付し、その説明を省略又は簡略化する。
図６に示すように、本実施形態では、１回の測色処理で複数の波長の光の光量を取得する。
【００６９】
以下、具体的な処理方法を説明する。図７は、本実施形態の光学モジュールの制御方法を示すフローチャートである。
図７に示すように、本実施形態では、第一実施形態と同様、ステップＳ１からステップＳ１２までは同様の処理を実施する。そして、モード切替手段３１により、表示モードから測色モードに切り替わると、測色処理手段３２Ａは、表示モードにおいて、出射させる表示波長λａを取得する。そして、測色処理手段３２Ａは、測定対象波長域における各波長を表示波長λａ以上となる目標波長グループと、表示波長λａ未満となる目標波長グループとに分ける（ステップＳ２０）。
例えば、測定対象波長域が３８０ｎｍ〜７２０ｎｍであり、２０ｎｍ間隔の光の光量を測定するものとし、表示波長λａが５６０ｎｍである場合、３８０ｎｍ〜５６０ｎｍの１０個の目標波長が属する目標波長グループと、５８０ｎｍ〜７２０ｎｍの８個の目標波長が属する目標波長グループとに分ける。なお、目標波長グループに属する目標波長の最大数が予め設定されていてもよい。例えば、最大数が５個である場合、３８０ｎｍ〜４６０ｎｍ、４８０ｎｍ〜５６０ｎｍ、５８０ｎｍ〜６６０ｎｍ、６８０〜７２０ｎｍの４つの目標波長グループを設定してもよい。また、測色処理手段３２Ａは、各目標波長グループに対してＩＤを付す。
【００７０】
そして、測色処理手段３２Ａは、グループを選択するためのグループ変数ｇに対応するグループＩＤの各目標波長λｎを取得し、これらの目標波長λｎに対応した駆動電圧をＶ−λデータから読み出す。なお、グループ変数ｇの初期値は１に設定されている。そして、測色処理手段３２Ａは、表示波長λａからの差が大きい順に順次静電アクチュエーター５６に駆動電圧を印加させ、順次波長可変干渉フィルター５から出力される光の光量を取得する（ステップＳ２１）。
すなわち、表示波長λａ以上の目標波長グループでは、波長が大きい順に波長可変干渉フィルター５から光を出射させる（駆動電圧を徐々に大きくする）。表示波長λａ未満の目標波長グループでは、波長が小さい順に波長可変干渉フィルター５から光を出射させる（駆動電圧を徐々に小さくする）。
【００７１】
次に、測色処理手段３２Ａは、グループ変数ｇが最大値Ｇ以上か否かを判定する（ステップＳ２２）。
ステップＳ２２において、「Ｙｅｓ」と判定された場合は、測色処理手段３２Ａは、グループ変数ｇを初期化し「１」を設定する（ステップＳ２３）。また、ステップＳ２２において、「Ｎｏ」と判定された場合は、測色処理手段３２Ａは、グループ変数ｇに「１」を加算する（ステップＳ２４）。
この後、制御部３０は、ステップＳ１８〜１９の処理を実施し、上記処理を繰り返す。
【００７２】
上記の処理では、図６に示すように、１回の測色処理で、１つの目標波長グループに属する波長の光の光量を測定する。この場合、第一実施形態に比べて、全波長の測色に係る時間を短縮でき、背景色が変化した場合でもより迅速に対応して、表示モードにおける表示色を背景色に対応させることができる。
【００７３】
また、本実施形態では、１回の測色処理において、表示波長からの差が大きい波長から小さい波長に順次切り替えるので、測色モードから表示モードに切り替える際に、波長可変干渉フィルターにおけるギャップＧ１の寸法変動量を小さくできる。このため、表示モードにおいて、迅速に表示波長の光を出射させることができる。
【００７４】
［第三実施形態］
上記第一及び第二実施形態では、電子機器１０の各面部１１に対して１つの光学モジュール２０が設けられる例を示したが、この場合、各面部１１の面積が大きいと、波長可変干渉フィルター５の各反射膜５４，５５の面積も大きくする必要がある。この場合、反射膜５４，５５の撓みにより、波長可変干渉フィルター５の分解能が低下するおそれがある。これに対して第三実施形態では、各面部１１に対して複数の光学モジュール２０をアレイ状に配置する点で、上記各実施形態と相違する。
【００７５】
図８は、本実施形態の電子機器１０Ａの概略構成を示す斜視図である。
図８に示すように、本実施形態の電子機器１０Ａでは、各面部１１に対して、複数の分割面部１２に分割されており、これらの分割面部１２に対してそれぞれ独立した光学モジュール２０が配置されている。
【００７６】
ここで、各光学モジュール２０のうち、反射膜５４，５５の中心と通る法線が一致する光学モジュール２０が、上記第一及び第二実施形態における第一光学モジュール２０Ａ及び第二光学モジュール２０Ｂ（図８において図示略）として対応付けられている。したがって、第一光学モジュール２０Ａからは、電子機器１０Ａにおける当該第一光学モジュール２０Ａの背面側の第二光学モジュール２０Ｂに入射した光の測色結果に応じた波長の光が出射される。同様に、第二光学モジュール２０Ｂからは、電子機器１０Ａにおける当該第二光学モジュール２０Ｂの背面側の第一光学モジュール２０Ａに入射した光の測色結果に応じた波長の光が出射される。
【００７７】
このため、図８に示すように、各光学モジュール２０を画素単位として、電子機器１０Ａの背面側の背景画像を正面側に表示させることができる。また、各光学モジュール２０における波長可変干渉フィルター５の反射膜５４，５５の面積の増大を抑えることができるので、測色精度及び表示精度を向上させることができる。
【００７８】
［実施形態の変形］
なお、本発明は上述の実施形態に限定されるものではなく、本発明の目的を達成できる範囲での変形、改良等は本発明に含まれるものである。
例えば、上記実施形態では、波長可変干渉フィルター５として、透過型のファブリーペローエタロンを例示したが、これに限定されない。
例えば、反射型のファブリーペローエタロンを用いてもよい。この場合、光源部２２を設ける必要がなく、表示モードにおける表示処理において、各面部１１から入射した光から表示波長λａの光を反射させることで、背景色に応じた表示色を出力できる。
【００７９】
また、上記実施形態では、電子機器１０，１０Ａにおける背面側の背景色を正面側の面部１１にて表示させる例を示したが、これに限定されない。例えば、電子機器１０，１０Ａの側面に入射した背景色を正面側の面部１１にて表示させる等の構成としてもよい。
【００８０】
上述した電子機器１０，１０Ａにおいて、波長可変干渉フィルター５、受光素子２１、及び光源部２２を備える光学モジュール２０を測色部及び表示部として機能させる例を示したが、これに限定されない。
例えば、測色部用の波長可変干渉フィルターと、表示部用の波長可変干渉フィルターとを備える構成としてもよい。この場合、光源部２２の光が受光素子２１に入射されないように遮光機構を設けることで、表示部において、背景色を表示させながら、測色部において、測色処理を実施することもできる。
また、上記のように、表示部と測色部と別体とする場合では、例えば表示部を液晶ディスプレイ等の他の表示装置により構成してもよい。
更に、光学モジュール２０に用いられる分光素子としてファブリーペローエタロンである波長可変干渉フィルター５を例示したが、例えばＡＯＴＦやＬＣＴＦ等のその他の分光素子を用いてもよい。
【００８１】
上記実施形態では、モード切替手段３１により、所定間隔で表示モードと、測色モードとを交互に切り替えたが、例えば、電子機器を起動させた際にのみ測色処理を実施する等の処理であってもよい。
また、第二実施形態では、１回の測定処理において、所定数の目標波長を含む目標波長グループ数を設定して、１回の測色処理で、１グループに含まれる目標波長の光の光量を取得したが、これに限定されない。
例えば、２回目以降の測色処理においても、１回の測色処理で全目標波長の光の光量を取得してもよい。
【００８２】
また、第二実施形態において、測色処理時に、表示波長からの差が大きい波長から小さい波長に向かって順次波長可変干渉フィルター５を透過させる波長を切り替えたが、これに限定されない。例えば、表示波長からの差が小さい波長から大きい波長に向かって順次波長可変干渉フィルター５を透過させる波長を切り替えてもよい。
この場合、測色モードから表示モードに切り替えた際に、波長可変干渉フィルター５から所望波長の光が安定して出力されるまでの時間（安定化時間）は、第二実施形態より長くなる。しかしながら、表示モードから測色モードに切り替えた際の安定化時間を短縮できるので、測色処理における時間の短縮化を図れる。
【００８３】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、当業者が様々な変形及び改良を加えることができるものである。
【符号の説明】
【００８４】
５…波長可変干渉フィルター、１０，１０Ａ…電子機器、１１…面部、１１Ａ…第一面部、１１Ｂ…第二面部、１２…分割面部、２０…光学モジュール、２０Ａ…第一光学モジュール、２０Ｂ…第二光学モジュール、２１…受光素子、２２…光源部、２３…角度制限手段、３０…制御部、３１…モード切替手段、３２…フィルター制御手段、３２Ａ…測色処理手段、３２Ｂ…表示処理手段、３３…光源制御手段、３４…光量取得手段、５４…固定反射膜、５５…可動反射膜、５６…静電アクチュエーター、Ａ１…干渉領域、Ｇ１…ギャップ。
【図１】
2015141026.tif 000003
【図２】
2015141026.tif 000004
【図３】
2015141026.tif 000005
【図４】
2015141026.tif 000006
【図５】
2015141026.tif 000007
【図６】
2015141026.tif 000008
【図７】
2015141026.tif 000009
【図８】
2015141026.tif 000010